(57)【要約】【課題】表示部に表示された画像を参照しながら被写体にピントが合っているか否かをユーザが容易に判断できる撮像装置及び画像表示方法を得る。【解決手段】デジタルカメラ１００がオートフォーカスモードで動作しているとき、合焦判断部１１２は、撮影画像に基づいて合焦レンズ１３１が被写体に合焦しているか否かを判断し、合焦レンズ１３１を被写体に合焦させる。被写体に合焦しているか否かの判断を合焦判断と呼び、合焦判断部１１２が合焦判断している期間を合焦動作期間と呼ぶ。合焦動作期間において、画像補正部１１１は、補正画像を作成しない。ＬＣＤ１２２は、ＤＳＰ１１０から撮影画像を受信して表示する。このとき、ＤＳＰ１１０は、収差を補正するために必要な計算能力を画像処理に使用する。これにより、単位時間当たりに処理可能な撮影画像の数や、撮影画像の解像度を上げることができる。すなわちユーザは、高解像度及び高フレームレートの画像を参照できる。【選択図】図１
2014171203.tif 000002
【特許請求の範囲】
【請求項１】
被写体像を撮像して撮影画像を出力する撮像素子と、
被写体に合焦して、前記撮像素子に被写体像を結像させる合焦レンズと、
前記撮像素子から前記撮影画像を取得して、前記撮影画像に含まれる前記合焦レンズに起因する収差を補正して補正画像を作成する画像補正部と、
前記撮影画像又は前記補正画像を表示する表示部とを備え、
前記合焦レンズが被写体像に合焦する動作を行っている期間は合焦動作期間であって、
少なくとも前記合焦動作期間において、前記画像補正部は前記収差を補正せず、前記表示部は前記撮影画像を表示する撮像装置。
【請求項２】
前記撮像素子から前記撮影画像を取得して、前記撮影画像に基づいて前記合焦レンズが被写体に合焦しているか否かを判断する合焦判断部をさらに備え、
前記合焦レンズは、前記合焦判断部の判断に応じて被写体に合焦し、
前記合焦動作期間は、被写体に合焦しているか否かを前記合焦判断部が判断している期間である請求項１に記載の撮像装置。
【請求項３】
前記合焦動作期間が終了した場合、前記画像補正部は前記収差を補正して前記補正画像を作成し、前記表示部は前記補正画像を表示する請求項２に記載の撮像装置。
【請求項４】
前記撮像素子から前記撮影画像を取得し、前記撮影画像の一部を拡大して拡大画像を作成する画像拡大部をさらに備え、
前記表示部は、前記撮影画像に代えて前記拡大画像を表示し、
前記合焦動作期間は、被写体に合焦しているか否かを前記合焦判断部が判断している期間、かつ前記表示部が前記拡大画像を表示している期間である請求項２又は３に記載の撮像装置。
【請求項５】
前記画像拡大部は、前記撮影画像の中心を中心として前記撮影画像を拡大する請求項４に記載の撮像装置。
【請求項６】
前記撮影画像に含まれる顔を検出する顔検出部をさらに備え、
前記画像拡大部は、前記顔検出部が検出した顔を中心として前記撮影画像を拡大する請求項４に記載の撮像装置。
【請求項７】
前記合焦レンズは、被写体に対する合焦状態を調節するピント調整リングをさらに備え、
前記合焦動作期間は、前記ピント調整リングが動いている期間である請求項１に記載の撮像装置。
【請求項８】
シャッターレリーズボタンをさらに備え、
前記シャッターレリーズボタンが押圧された場合、前記画像補正部は前記収差を補正して前記補正画像を作成し、前記表示部は前記補正画像を表示する請求項７に記載の撮像装置。
【請求項９】
前記ピント調整リングが所定期間動かない場合、前記画像補正部は前記収差を補正して前記補正画像を作成し、前記表示部は前記補正画像を表示する請求項７に記載の撮像装置。
【請求項１０】
被写体に合焦レンズを合焦させるステップと、
被写体像を撮像して撮影画像を出力するステップと、
被写体に前記合焦レンズを合焦させる動作を行っている合焦動作期間であるか否かを判断するステップと、
前記合焦動作期間でない場合、前記撮影画像に含まれる前記合焦レンズに起因する収差を補正して補正画像を作成し、前記補正画像を表示するステップと、
前記合焦動作期間である場合、前記補正画像を作成せずに、前記撮影画像を表示するステップとを備える画像表示方法。
【発明の詳細な説明】
【技術分野】
【０００１】
本発明は、撮像した画像を表示可能な表示部を有する撮像装置、及び撮像した画像を表示する方法に関する。
【背景技術】
【０００２】
レンズを介して連続的に被写体像を撮像して、表示部に表示する撮像装置が知られている。このようなレンズの中には収差を有するものがある。この収差を補正するため、画像に数学的な処理を施す手法が知られている（特許文献１）。
【先行技術文献】
【特許文献】
【０００３】
【特許文献１】特開２００８−１１６６６３号公報
【発明の概要】
【発明が解決しようとする課題】
【０００４】
しかし収差を補正する処理は、撮像装置の処理能力に一定の負荷を与える。そのため、他の処理に割かれている処理能力を、収差を補正する処理に割かなければならなくなる可能性がある。すなわち、連続的に被写体像を撮像して表示部に表示する撮像装置にこの処理を適用すると、表示部に表示する画像の画素数や更新頻度等を下げて画像表示に割かれている能力を低減して、収差を補正する処理に処理能力を確保することになる。これにより表示される画像の画質が低下して見栄えが悪くなるとともに、ピントが合っているか否かをユーザが確認しづらくなるおそれが生じる。
【０００５】
本発明はこの問題に鑑みてなされたものであり、表示部に表示された画像を参照しながら被写体にピントが合っているか否かをユーザが容易に判断できる撮像装置及び画像表示方法を得ることを目的とする。
【課題を解決するための手段】
【０００６】
本願第１の発明による撮像装置は、被写体像を撮像して撮影画像を出力する撮像素子と、被写体に合焦して、撮像素子に被写体像を結像させる合焦レンズと、撮像素子から撮影画像を取得して、撮影画像に含まれる合焦レンズに起因する収差を補正して補正画像を作成する画像補正部と、撮影画像又は補正画像を表示する表示部とを備え、合焦レンズが被写体像に合焦する動作を行っている期間は合焦動作期間であって、少なくとも合焦動作期間において、画像補正部は収差を補正せず、表示部は撮影画像を表示することを特徴とする。
【０００７】
撮像素子から撮影画像を取得して、撮影画像に基づいて合焦レンズが被写体に合焦しているか否かを判断する合焦判断部をさらに備え、合焦レンズは、合焦判断部の判断に応じて被写体に合焦し、合焦動作期間は、被写体に合焦しているか否かを合焦判断部が判断している期間であるとしてもよい。
【０００８】
合焦動作期間が終了した場合、画像補正部は収差を補正して補正画像を作成し、表示部は補正画像を表示してもよい。
【０００９】
撮像素子から撮影画像を取得し、撮影画像の一部を拡大して拡大画像を作成する画像拡大部をさらに備え、表示部は、撮影画像に代えて拡大画像を表示し、合焦動作期間は、被写体に合焦しているか否かを合焦判断部が判断している期間、かつ表示部が拡大画像を表示している期間であってもよい。
【００１０】
画像拡大部は、撮影画像の中心を中心として撮影画像を拡大してもよい。
【００１１】
撮影画像に含まれる顔を検出する顔検出部をさらに備え、画像拡大部は、顔検出部が検出した顔を中心として撮影画像を拡大してもよい。
【００１２】
合焦レンズは、被写体に対する合焦状態を調節するピント調整リングをさらに備え、合焦動作期間は、ピント調整リングが動いている期間であるとしてもよい。
【００１３】
シャッターレリーズボタンをさらに備え、シャッターレリーズボタンが押圧された場合、画像補正部は収差を補正して補正画像を作成し、表示部は補正画像を表示してもよい。
【００１４】
ピント調整リングが所定期間動かない場合、画像補正部は収差を補正して補正画像を作成し、表示部は補正画像を表示してもよい。
【００１５】
本願第２の発明による画像表示方法は、被写体に合焦レンズを合焦させるステップと、被写体像を撮像して撮影画像を出力するステップと、被写体に合焦レンズを合焦させる動作を行っている合焦動作期間であるか否かを判断するステップと、合焦動作期間でない場合、撮影画像に含まれる合焦レンズに起因する収差を補正して補正画像を作成し、補正画像を表示するステップと、合焦動作期間である場合、補正画像を作成せずに、撮影画像を表示するステップとを備えることを特徴とする。
【発明の効果】
【００１６】
本発明によれば、表示部に表示された画像を参照しながら被写体にピントが合っているか否かをユーザが容易に判断できる撮像装置及び画像表示方法を得る。
【図面の簡単な説明】
【００１７】
【図１】第１の撮像装置を概略的に示したブロック図である。
【図２】撮影画像と補正画像とを示した図である。
【図３】第１の表示処理を示したフローチャートである。
【図４】第１の撮像装置を概略的に示したブロック図である。
【図５】撮影画像と補正画像とを示した図である。
【図６】第２の表示処理を示したフローチャートである。
【発明を実施するための形態】
【００１８】
本願発明の第１の実施形態による撮像装置について図１から３を用いて説明する。図１は、撮像装置の一実施形態であるデジタルカメラ１００を示す。図１を用いてデジタルカメラ１００の構成について説明する。
【００１９】
デジタルカメラ１００は、ＤＳＰ１１０、撮像素子であるＣＭＯＳ１２１、合焦レンズ１３１、ＬＣＤ（表示部）１２２を主に備える。
【００２０】
合焦レンズ１３１は、複数のレンズにより構成され、デジタルカメラ１００のボディに畳まれて格納され、デジタルカメラ１００が撮影画像を記録する動作モードに設定されたとき、ボディから繰り出される。繰り出された合焦レンズ１３１は被写体に合焦して、ＣＭＯＳ１２１に被写体像を結像させる。合焦レンズ１３１の外周面にはピント調整リング１３２及び駆動モータ１３３が設けられる。駆動モータ１３３は合焦レンズ１３１を駆動して被写体に合焦させる。ピント調整リング１３２はユーザにより回転され、合焦レンズ１３１を被写体に合焦させる。
【００２１】
合焦レンズ１３１とＣＭＯＳ１２１との間の光路上には絞り羽根１２３、シャッター幕１２４が設けられる。絞り羽根１２３はＣＭＯＳ１２１に到達する光量を調節し、シャッター幕１２４は、合焦レンズ１３１からＣＭＯＳ１２１までの光路を開閉する。
【００２２】
ＣＭＯＳ１２１は、ＤＳＰ１１０が生成する同期クロック信号を受信し、これに同期して動作する。そして、結像した被写体像を撮像して撮影画像を連続的に出力する。撮影画像はＤＳＰ１１０に送信される。
【００２３】
ＤＳＰ１１０は、画像補正部１１１及び合焦判断部１１２を主に備える。画像補正部１１１は、ＣＭＯＳ１２１から撮影画像を取得し、合焦レンズ１３１に起因する収差を補正して補正画像を作成する。ここで、収差とは、色収差、樽型収差、及び糸巻き型収差を含む。合焦判断部１１２は、ＣＭＯＳ１２１から撮影画像を取得して、撮影画像に基づいて合焦レンズ１３１が被写体に合焦しているか否かを判断する。ＤＳＰ１１０は、この判断結果に応じた信号を駆動回路１２５に送信する。駆動回路１２５は、受信した信号に応じて駆動モータ１３３を動作させる。これにより、合焦レンズ１３１が被写体に合焦する。合焦レンズ１３１が被写体像に合焦する動作を行っている期間を合焦動作期間と呼ぶ。合焦動作期間の詳細については後述される。
【００２４】
ＤＳＰ１１０は、受信した撮影画像に所定の処理を施した後、処理済みの撮影画像をＬＣＤ１２２に連続的に送信する。ＬＣＤ１２２は、受信した撮影画像を表示する。これにより、ＣＭＯＳ１２１が現在撮像している撮影画像が動画としてＬＣＤ１２２に表示される。この動画をライブビューと呼ぶ。またＤＳＰ１１０は、受信した撮影画像に応じて絞り値及びシャッター速度を算出する。算出された絞り値及びシャッター速度は駆動回路１２５に送信される。駆動回路１２５は受信した絞り値及びシャッター速度に応じて、絞り羽根１２３及びシャッター幕１２４を駆動制御する。
【００２５】
ＤＳＰ１１０には、操作スイッチ１２６が接続される。操作スイッチ１２６は、シャッターレリーズボタンを備える。シャッターレリーズボタンは二段階スイッチであり、ユーザが半押しすると半押し信号をＤＳＰ１１０に送信し、全押しすると全押し信号をＤＳＰ１１０に送信する。シャッターレリーズボタンが操作されていないとき、ＤＳＰ１１０は、受信した撮影画像をＬＣＤ１２２に連続的に送信し、ＬＣＤ１２２は、ＣＭＯＳ１２１が現在撮像している撮影画像を動画として表示する。
【００２６】
画像補正部１１１の機能について説明する。画像補正部１１１は、アフィン変換などの投影変換を用いて収差を修正し、そして投影変換に伴って生じる画素の欠落を補間する。これにより、合焦レンズ１３１によって生じる収差が補正される。しかし、画素の欠落を補間することにより、画像の解像度が低下する。画像の解像度が低下すると、画像の尖鋭度、例えばコントラストが低下するため、このような画像を参照しながらユーザが手動でピントを合わせることが難しくなるおそれがある。
【００２７】
デジタルカメラ１００は、自動的に被写体像に合焦レンズ１３１を合焦させるオートフォーカス（ＡＦ）モードと、ユーザが自らの手でピント調整リング１３２を回転させて被写体像に合焦レンズ１３１を合焦させるマニュアルフォーカス（ＭＦ）モードで動作可能である。
【００２８】
デジタルカメラ１００がオートフォーカスモードで動作しているときのＤＳＰ１１０の動作について説明する。合焦判断部１１２は、受信した撮影画像に基づいて合焦レンズ１３１が被写体に合焦しているか否かを判断し、合焦レンズ１３１を被写体に合焦させる。被写体に合焦しているか否かの判断を合焦判断と呼び、合焦判断部１１２が合焦判断している期間を合焦動作期間と呼ぶ。合焦動作期間において、画像補正部１１１は、合焦レンズ１３１に起因する収差を補正しない。そのため、補正画像が作成されない。ＬＣＤ１２２は、ＤＳＰ１１０から撮影画像を受信して表示する。このとき、ＤＳＰ１１０は、収差を補正するために必要な計算能力を画像処理に使用する。これにより、単位時間当たりに処理可能な撮影画像の数や、撮影画像の解像度を上げることができる。すなわち、ＤＳＰ１１０が出力する画像の解像度及びフレームレートが向上することになる。これにより、ＬＣＤ１２２は高解像度及び高フレームレートの動画を表示することができる。すなわちユーザは、高解像度及び高フレームレートの画像を参照することができる。
【００２９】
ＤＳＰ１１０が半押し信号を受信すると、受信した撮影画像に応じて、絞り値及びシャッター速度を算出し、合焦判断部１１２は合焦判断を中止して合焦レンズ１３１の位置をロックさせ、画像補正部１１１は合焦レンズ１３１に起因する収差を補正する。そしてＬＣＤ１２２は補正画像を表示する。これによりユーザは、収差が補正され、かつ被写体にピントが合った画像を観察することができる。ＤＳＰ１１０が半押し信号を受信したとき、合焦動作期間が終了する。その後ＤＳＰ１１０が全押し信号を受信すると、算出済みの絞り値及びシャッター速度で絞り羽根１２３及びシャッター幕１２４を駆動させ、ＣＭＯＳ１２１に被写体像を撮像させる。そしてＣＭＯＳ１２１から取得した撮影画像に対してメモリ１２７を一時記憶装置として用いながら所定の画像処理を施し、メモリカード１２８に送信する。メモリカード１２８は、デジタルカメラ１００に対して着脱自在となるように設けられる、例えばＳＤカードであって、受信した画像を保存する。
【００３０】
デジタルカメラ１００がマニュアルフォーカスモードで動作しているときのＤＳＰ１１０の動作について説明する。
このとき、合焦動作期間は、ユーザがピント調整リング１３２を動かしている期間である。なお、ここでいうユーザがピント調整リング１３２を動かしている期間は、ピント調整リング１３２が動いている期間のみならず、一時的にピント調整リング１３２が止まっている期間も含んでも良い。合焦動作期間において、画像補正部１１１は合焦レンズ１３１に起因する収差を補正せず、合焦判断部１１２は合焦判断を行わない。そのため、補正画像が作成されず、ＬＣＤ１２２はＤＳＰ１１０から撮影画像を受信して表示する。このときＤＳＰ１１０は、収差の補正及び合焦判断に必要な計算能力を画像処理に使用する。これにより、単位時間当たりに処理可能な撮影画像の数や、撮影画像の解像度を上げることができる。すなわち、ＤＳＰ１１０が出力する画像の解像度及びフレームレートが向上することになる。これにより、ＬＣＤ１２２は高解像度及び高フレームレートの動画を表示することができる。ユーザは、高解像度及び高フレームレートの画像を参照することができるため、ピントを手動で容易に合わせることができる。
【００３１】
ＤＳＰ１１０が半押し信号を受信すると、受信した撮影画像に応じて、絞り値及びシャッター速度を算出し、画像補正部１１１は合焦レンズ１３１に起因する収差を補正する。そしてＬＣＤ１２２は補正画像を表示する。これによりユーザは、収差が補正された画像を観察することができる。ＤＳＰ１１０が半押し信号を受信したとき、合焦動作期間が終了する。その後、全押し信号を受信したＤＳＰ１１０は、算出済みの絞り値及びシャッター速度で絞り羽根１２３及びシャッター幕１２４を駆動させ、ＣＭＯＳ１２１に被写体像を撮像させる。そしてＣＭＯＳ１２１から取得した撮影画像に対してメモリ１２７を一時記憶装置として用いながら所定の画像処理を施し、メモリカード１２８に送信する。メモリカード１２８は、受信した画像を保存する。
【００３２】
次に、図２及び３を用いて第１の表示処理について説明する。
【００３３】
始めのステップＳ３１では、初期動作を行う。初期動作では、デジタルカメラ１００のボディから合焦レンズ１３１を繰り出し、ＣＭＯＳ１２１が撮像を開始し、画像をＤＳＰ１１０に送信し始める。ＬＣＤ１２２は、画像を連続的に表示する。
【００３４】
次のステップＳ３２では、デジタルカメラ１００がオートフォーカスを現在行っているか、又はユーザが手動で合焦レンズ１３１のピントを操作しているか否か、すなわちデジタルカメラ１００が合焦動作期間にあるか否かを判断する。例えば、合焦判断部１１２が合焦判断を行っているときに、オートフォーカスを現在行っていると判断する。デジタルカメラ１００が合焦動作期間にあるとき、処理はステップＳ３４に進み、そうでないとき、処理はステップＳ３３に進む。
【００３５】
ステップＳ３３では、画像補正部１１１は合焦レンズ１３１に起因する収差を補正して、補正画像を作成する。
【００３６】
ステップＳ３４では、ＬＣＤ１２２が撮影画像又は補正画像を表示する。つまり、デジタルカメラ１００が合焦動作期間にある場合、ＬＣＤ１２２は撮影画像２１、２２（図２参照）を表示し、合焦動作期間にない場合、ＬＣＤ１２２は補正画像２３（図２参照）を表示する。撮影画像２１は樽型収差を含む画像であり、撮影画像２２は糸巻き型収差を含む画像である。
【００３７】
次のステップＳ３５では、他の処理を行うか否かを判断する。他の処理は、例えばシャッターレリーズボタンの半押しに応じて実行される絞り値及びシャッター速度の算出、あるいは全押しに応じて実行される絞り羽根１２３及びシャッター幕１２４の駆動からメモリカード１２８による画像の保存までの処理である。他の処理を行わない場合、処理はステップＳ３２に戻り、ステップＳ３２からＳ３５までの処理を繰り返す。他の処理を行う場合、処理はステップＳ３６に進み、他の処理を実行する。そして処理が終了する。
【００３８】
本実施形態によれば、デジタルカメラ１００が合焦動作期間にある場合、ＬＣＤ１２２は高解像度及び高フレームレートの動画を表示することができる。ユーザは、高解像度及び高フレームレートの画像を参照することができ、さらにはピントを手動で容易に合わせることができる。
【００３９】
なお、デジタルカメラ１００がマニュアルフォーカスモードにある場合、オートフォーカスモードで動作するとき、又は合焦判断部１１２が合焦判断を中止したときを合焦動作期間が終了するときとしてもよい。
【００４０】
また、ピント調整リング１３２が所定期間以上動かない場合、合焦動作期間を終了し、ＬＣＤ１２２は撮影画像の表示を中止して補正画像を表示してもよい。
【００４１】
次に図４−６を用いて第２の実施形態について説明する。第２の実施形態は、デジタルカメラ１００がオートフォーカスモードで動作しているとき、撮影画像を拡大してＬＣＤ１２２に表示する点が第１の実施形態と異なる。第１の実施形態と同様の構成については、同じ符号を付して説明を省略する。
【００４２】
図４を参照すると、ＤＳＰ１１０は、画像処理部（画像拡大部）１１３及び顔検出部１１４をさらに備える。顔検出部１１４は、画像に含まれる顔を検出する。画像処理部１１３は、ＣＭＯＳ１２１から受信した撮影画像の尖鋭度を算出し、尖鋭度に応じて撮影画像の一部を拡大して拡大画像を作成する。拡大画像はＬＣＤ１２２に表示される。撮影画像を拡大する処理は、いわゆる電子ズームによるものである。尖鋭度は、例えば撮影画像全体若しくは一部の領域に含まれる高周波成分の量、又は撮影画像全体若しくは一部の領域のコントラスト値である。コントラスト値は、撮影画像を構成する各画素の輝度値に所定の値を乗じ、得られた値を合計することにより求められる。例えば、撮影画像がｎ行×ｍ列の画素によって構成され、輝度値がＬｎ，ｍで表されるとき、コントラスト値Ｃは、以下の式により求められる。
【数１】
2014171203.tif 000003
本実施形態における合焦動作期間は、被写体に合焦しているか否かを合焦判断部１１２が判断している期間、かつ表示部が拡大画像を表示している期間である。
【００４３】
図５を用いてオートフォーカスモードで動作しているデジタルカメラ１００について説明する。合焦判断部１１２は、受信した撮影画像に基づいて合焦レンズ１３１が被写体に合焦しているか否かを判断し、合焦レンズ１３１を被写体に合焦させる。合焦レンズ１３１が被写体に合焦していくにつれて、撮影画像の尖鋭度が上昇する。そのため、拡大画像の拡大倍率が次第に大きくなる。拡大画像５１は、合焦レンズ１３１のピントが被写体よりもデジタルカメラ１００に近い位置に合っている場合の画像である。この場合、ピントがずれているため被写体像はぼけており、画像全体のコントラスト値は相対的に低い値になっている。画像処理部１１３は、低いコントラスト値に応じた倍率、例えば１．２倍の拡大倍率で撮影画像の中心を中心として拡大する。これにより得られたものが拡大画像５１である。他方、合焦動作期間において、画像補正部１１１は収差を補正しない。そのため、補正画像が作成されない。ＬＣＤ１２２は、ＤＳＰ１１０から拡大画像５１を受信して表示する。
【００４４】
この状態において、合焦レンズ１３１を駆動してピントが合う位置をデジタルカメラ１００から遠ざけると、ピントが被写体に合焦する。拡大画像５２は、ピントが被写体に合焦している場合の画像である。この場合、被写体にピントが合っているため被写体像はぼけておらず、画像全体のコントラスト値は相対的に最も高い値になっている。画像処理部１１３は、高くなったコントラスト値に応じた倍率、例えば１．８倍の拡大倍率で撮影画像の中心を中心として拡大し、拡大画像５２を作成する。すなわち、拡大画像５２のコントラスト値は拡大画像５１よりも大きいため、拡大画像５２に含まれる被写体像の大きさは拡大画像５１における被写体像よりも大きくなる。ＬＣＤ１２２は拡大画像５２を表示する。一般に、樽型収差、糸巻き収差、及び色収差などといった収差による画像の歪み及び滲みは、撮影画像の中心においてあまり発生しない。そのため撮影画像の中心を中心として拡大すれば、収差による歪み及び滲みを拡大画像が含みにくくなる。
【００４５】
合焦動作期間において、ＤＳＰ１１０は、収差を補正せずに、収差を補正するために必要な計算能力を画像処理に使用する。これにより、単位時間当たりに処理可能な撮影画像の数や、撮影画像の解像度を上げることができる。すなわち、ＤＳＰ１１０が出力する画像の解像度及びフレームレートが向上することになる。これにより、ＬＣＤ１２２は高解像度及び高フレームレートの動画を表示することができる。すなわちユーザは、高解像度及び高フレームレートの画像を参照することができる。
【００４６】
拡大画像５１及び５２に示した画像のコントラスト値の変化を曲線５４として示す。画像のコントラスト値と拡大倍率との関係は、メモリ１２７にテーブルとして記憶される。ここで、コントラスト値は０から２５５までの値をとり、拡大倍率は１倍から４倍までの値をとる。
【００４７】
ＤＳＰ１１０が半押し信号を受信すると、受信した撮影画像に応じて、絞り値及びシャッター速度を算出し、合焦判断部１１２は合焦判断を中止して合焦レンズ１３１の位置をロックさせ、画像補正部１１１は合焦レンズ１３１に起因する収差を補正する。そして画像拡大部は拡大画像を作成することを中止し、ＬＣＤ１２２は補正画像５３を表示する。これによりユーザは、収差が補正され、かつ被写体にピントが合った画像を観察することができる。ＤＳＰ１１０が半押し信号を受信したとき、合焦動作期間が終了する。その後、全押し信号を受信したＤＳＰ１１０は、算出済みの絞り値及びシャッター速度で絞り羽根１２３及びシャッター幕１２４を駆動させ、ＣＭＯＳ１２１に被写体像を撮像させる。そしてＣＭＯＳ１２１から取得した撮影画像に対してメモリ１２７を一時記憶装置として用いながら所定の画像処理を施し、メモリカード１２８に送信する。メモリカード１２８は、デジタルカメラ１００に対して着脱自在となるように設けられる、例えばＳＤカードであって、受信した画像を保存する。
【００４８】
図６を用いて第２の表示処理について説明する。第２の表示処理は、デジタルカメラ１００が画像を記録する動作モードに設定されたときに実行される処理であり、デジタルカメラ１００がオートフォーカスを行い、かつ画像の一部を拡大してＬＣＤ１２２に表示しているときに、収差の補正を中止する。以下、画像全体のコントラスト値を尖鋭度として用いた場合について説明する。
【００４９】
始めのステップＳ６１では、初期動作を行う。初期動作では、デジタルカメラ１００のボディから合焦レンズ１３１を繰り出し、ＣＭＯＳ１２１が撮像を開始し、画像をＤＳＰ１１０に送信し始める。ＬＣＤ１２２は、画像を連続的に表示する。そしてＤＳＰ１１０は、コントラスト値と拡大倍率との関係を示すテーブルをメモリ１２７から読み出す。
【００５０】
次のステップＳ６２では、デジタルカメラ１００がオートフォーカスを現在行っているか否かを判断する。例えば、合焦判断部１１２が合焦判断を行っているときにオートフォーカスを現在行っていると判断する。デジタルカメラ１００がオートフォーカスを現在行っているとき、処理はステップＳ６３に進み、そうでないとき、処理はステップＳ６６に進む。
【００５１】
ステップＳ６３では、画像のコントラスト値を算出する。
【００５２】
ステップＳ６４では、撮影画像をコントラストに応じて拡大するか否かを判断する。拡大するとき、処理はステップＳ６５に進み、拡大しないとき、処理はステップＳ６６に進む。
【００５３】
ステップＳ６５では、ステップＳ６１で読み出したテーブルと、ステップＳ６３で算出したコントラスト値とから、拡大倍率を求める。そして、画像の中心を中心に画像を拡大し、拡大画像を作成する。すなわち、被写体に合焦しているか否かを合焦判断部１１２が判断している期間、かつ表示部が拡大画像を表示している期間、つまり合焦動作期間に、拡大画像が作成される。
【００５４】
他方、ステップＳ６６では、画像補正部１１１が合焦レンズ１３１に起因する収差を補正して、補正画像を作成する。
【００５５】
次のステップＳ６７では、ＬＣＤ１２２が撮影画像又は補正画像を表示する。つまり、デジタルカメラ１００が合焦動作期間にある場合、ＬＣＤ１２２は拡大画像５１、５２（図５参照）を表示し、合焦動作期間にない場合、ＬＣＤ１２２は補正画像５３（図５参照）を表示する。
【００５６】
以降のステップＳ３５及びＳ３６の処理は、第１の表示処理と同じ処理であるため、説明を省略する。
【００５７】
本実施形態によれば、デジタルカメラ１００が合焦動作期間にある場合、ＬＣＤ１２２は高解像度及び高フレームレートの動画を表示することができる。また、ユーザは、高解像度及び高フレームレートの画像を参照することができる。さらに、合焦判断により多くの計算能力を割くことができるため、合焦判断に必要な時間を短縮できる。また、高解像度の画像を用いて合焦判断できるため、より精度よく合焦を判断できる。
【００５８】
なお全ての実施形態において、画像の中心を中心として拡大しなくても良く、顔検出部１１４が検出した顔の中心を中心として画像を拡大しても良い。
【００５９】
また、画像全体若しくは一部の領域に含まれる高周波成分の量を尖鋭度として用いる場合、所定値以上の高周波成分を有するピクセル数を、前述のコントラスト値の代わりに使用することができる。 
【００６０】
ＣＭＯＳ１２１の代わりにＣＣＤ等の固体撮像素子が用いられても良い。
【００６１】
コントラスト値は、前述した処理以外の処理によって求められても良い。
【００６２】
シャッターレリーズボタンが半押しされた場合、合焦動作期間を終了して、ＬＣＤ１２２は撮影画像の表示を中止して、補正画像を表示してもよい。
【００６３】
ピント調整リング１３２の代わりに、シーソースイッチ、ダイヤル、及びレバー等のスイッチを用いてピントを調整してもよい。
【００６４】
デジタルカメラ１００がオートフォーカスモードで動作しているとき、ＤＳＰ１１０は、収差を補正するために必要な計算能力を画像処理に使用しなくてもよい。ＤＳＰ１１０の処理能力に余裕を持たせておくことにより、他の処理を要求されたときてあっても迅速に他の処理を実行することができる。
【００６５】
デジタルカメラ１００は、いわゆるコンパクトカメラ、一眼レフカメラ、ミラーレス一眼カメラであっても良い。
【符号の説明】
【００６６】
１００  デジタルカメラ
１１０  ＤＳＰ
１１１  画像補正部
１１２  合焦判断部
１１３  画像処理部
１１４  顔検出部
１２１  ＣＭＯＳ
１２２  ＬＣＤ
１２３  絞り羽根
１２４  シャッター幕
１２５  駆動回路
１２６  操作スイッチ
１２７  メモリ
１２８  メモリカード
１３１  合焦レンズ
１３２  ピント調整リング
１３３  駆動モータ
【図１】
2014171203.tif 000004
【図２】
2014171203.tif 000005
【図３】
2014171203.tif 000006
【図４】
2014171203.tif 000007
【図５】
2014171203.tif 000008
【図６】
2014171203.tif 000009